(57)【要約】      （修正有）【課題】簡単な構造でケーブルの取り出し口に突起物を設けることなく、かつ屈曲してもケーブルが切断されにくいコネクター装置を提供する。【解決手段】コネクター装置には、コネクター装置２０のハウジングにおけるケーブル２２の取り出し口の周囲のケーブルを挟んで対向する２つの方向において、コネクター装置の中心に近いほどケーブルとの距離が近くなる傾斜面２５が設けられている。ケーブルは断面が偏平な長円形であり、傾斜面は前記ケーブルの長円形の長軸と平行であってもよく、またコネクター装置はケーブルの接続部分においてケーブル巻き取り器２３のハウジングの凸部と勘合する凹部を備えていてもよい。張力がかかったり屈曲してもケーブルが切断し難く、ケーブルの取り出し口に突起物を設けないのでコネクターの全長を短くすることができ、ケーブル装置全体を小型化できる。【選択図】図１
0003168508.tif 000002
【実用新案登録請求の範囲】
【請求項１】
コネクター装置のハウジングにおけるケーブルの取り出し口の周囲の前記ケーブルを挟んで対向する２つの方向において、前記コネクター装置の中心に近いほど前記ケーブルとの距離が近くなる傾斜面を設けたことを特徴とするコネクター装置。
【請求項２】
前記ケーブルは断面が偏平な長円形であり、
前記傾斜面は前記ケーブルの長円形の長軸と平行であり、
前記コネクター装置はケーブルの接続部分においてケーブル巻き取り器のハウジングと勘合する凹部を備えており、前記傾斜面は前記凹部の底の前記ケーブルの取り出し口の周囲に形成されていることを特徴とする請求項１に記載のコネクター装置。
【請求項３】
前記傾斜面は平面であり、かつ前記平面と前記凹部の底との接続面は角のない曲面であることを特徴とする請求項１に記載のコネクター装置。
【請求項４】
前記傾斜面は円筒側面であることを特徴とする請求項１に記載のコネクター装置。
【考案の詳細な説明】
【技術分野】
【０００１】
本考案はコネクター装置に関するものであり、特に屈曲してもケーブルが切断されにくいコネクター装置に関するものである。
【背景技術】
【０００２】
従来、コネクター、ケーブルおよびケーブルの巻き取り器を備えたケーブル装置が提案されている。例えば下記特許文献１にはケーブル巻き取り機構を具えたＵＳＢケ−ブル装置が開示されている。図４は従来のコネクター装置を含むケーブル装置の構成を示す斜視図である。また、図５は従来のコネクター装置を含むケーブル装置のケーブル巻き取り器の構成を示す斜視図である。
【０００３】
このケーブル装置はケーブル１３の一端に接続されたＵＳＢコネクタ１０、他端に接続された信号コネクタ１１及びケーブル巻き取り器１２を備え、ケーブル巻き取り器１２はＵＳＢコネクタ１０及び他端の信号コネクタ１１の間に連結され、ケーブル巻き取り器１２がフラット式通信ケーブル１３、ケーブルを巻き取るための渦形バネ及び巻き取りロック用のボールをコンパクトに一つのケース内に収容している。
【先行技術文献】
【特許文献】
【０００４】
【特許文献１】実用新案登録第３０９７５６７号公報
【考案の概要】
【考案が解決しようとする課題】
【０００５】
上記した従来のケーブル装置に使用されるコネクター装置１０においてはケーブル収納時およびケーブルを伸ばすときにはケーブル１３に張力がかかり、またケーブルの使用時においても任意の方向への張力がかかる場合がある。しかし、ケーブル装置全体を小型化する必要があるので、コネクター装置１０の長さも極力短くすることが求められている。
【０００６】
また、ケーブルの張力によってコネクター装置１０が巻き取り器のハウジング２３と勘合して巻き取り器とコネクター装置が固定されるので、ケーブルの取り出し口に大きな突起物を設けることが出来ない。従って、従来周知のケーブルの付け根を柔軟性のある部材で覆うようなケーブル保護構造を採用することが困難であるという問題点があった。
【０００７】
本考案の目的は、上記した従来の問題点を解決し、簡単な構造でケーブルの取り出し口に突起物を設けることなく、かつ屈曲してもケーブルが切断されにくいコネクター装置を提供する点にある。
【課題を解決するための手段】
【０００８】
本考案のコネクター装置は、コネクター装置のハウジングにおけるケーブルの取り出し口の周囲の前記ケーブルを挟んで対向する２つの方向において、前記コネクター装置の中心に近いほど前記ケーブルとの距離が近くなる傾斜面を設けたことを主要な特徴とする。
【０００９】
また、前記したコネクター装置において、前記ケーブルは断面が偏平な長円形であり、前記傾斜面は前記ケーブルの長円形の長軸と平行であり、前記コネクター装置はケーブルの接続部分においてケーブル巻き取り器のハウジングと勘合する凹部を備えており、前記傾斜面は前記凹部の底の前記ケーブルの取り出し口の周囲に形成されている点にも特徴がある。
【００１０】
また、前記したコネクター装置において、前記傾斜面は平面であり、かつ前記平面と前記凹部の底との接続面は角のない曲面である点にも特徴がある。また、前記したコネクター装置において、前記傾斜面は円筒側面である点にも特徴がある。
【考案の効果】
【００１１】
本考案のコネクター装置は、上記したような構成によって、以下のような効果がある。
（１）簡単な構造で、張力がかかったり屈曲してもケーブルが切断されにくい。
（２）ケーブルの取り出し口に突起物を設けないので、コネクターの全長を短くすることができ、ケーブル装置全体を小型化できる。
【図面の簡単な説明】
【００１２】
【図１】図１は本考案によるコネクター装置の構成を示す平面図、側面図である。
【図２】図２は本考案によるコネクター装置のケーブル保持部分の構成例を示す拡大図１である。
【図３】図３は本考案によるコネクター装置のケーブル保持部分の構成例を示す拡大図２である。
【図４】図４は従来のコネクター装置を含むケーブル装置の構成を示す斜視図である。
【図５】図５は従来のコネクター装置を含むケーブル装置のケーブル巻き取り器の構成を示す斜視図である。
【考案を実施するための形態】
【００１３】
以下に、図面を参照して本考案の実施形態を説明する。
【実施例１】
【００１４】
図１は本考案によるコネクター装置の構成を示す平面図、側面図である。本考案のコネクター装置２０はコネクター装置本体２０、前部に配置され、コネクターの接点が内蔵された金属ケース２１からなり、後端部中央にケーブル２２が固着されている。ケーブル２２の芯線はコネクター接点に接続されており、コネクター装置本体２０のハウジングは金属ケース２１内のコネクター接点とケーブル２２の芯線とが接続された状態で金型にセットされ、金型にプラスティックを注入することによって成形される。
【００１５】
コネクター装置２０は後端部のケーブル２２の固着（接続部分、取り出し口）部分においてケーブル巻き取り器のハウジングの凸部２３と勘合する凹部２６を備えている。コネクター装置のハウジング２０におけるケーブル２２の取り出し口の周囲には傾斜面２５が設けられている。この傾斜面２５は凹部２６の底のケーブル２２の取り出し口の周囲に形成されており、ケーブル２２を挟んで対向する２つの方向において、コネクター装置の中心に近いほどケーブル２２との距離が近くなるように設けられている。
【００１６】
ケーブル２２は例えば断面が偏平な長円形であり、傾斜面２５はケーブル２２の長円形の断面の長軸と平行に配置されている。図１に示すようなコネクター装置２０のハウジングの構造は、上下から合わせるのみの単純な構造の金型によって形成可能であり、安価に量産できる。
【００１７】
図２、図３は本考案によるコネクター装置のケーブル保持部分の構成例を示す拡大図である。図２（ａ）は、図１と同じ傾斜面２５全体が平面である実施例１である。図２（ｂ）は、傾斜面３０のケーブル２２に近い部分は平面であり、傾斜面３０と凹部２６の底２７の面との接続面は角のない曲面とした実施例２である。ケーブル２２が横方向に引っ張られた場合、実施例２の形状の方が実施例１よりもケーブルが曲る半径が大きくなり、芯線が切れ難くなる。
【００１８】
図３（ａ）は、傾斜面３５全体が、例えば断面が１／４円形である円筒側面形状の曲面である実施例３である。実施例３の形状は、実施例１、２よりも更に曲る半径が大きくなるので、芯線が切れ難くなる。図３（ｂ）は、曲面（あるいは平面）の傾斜面３７の周囲が凹部２６の底２７の面よりも突出している実施例４である。実施例４の場合には突出している傾斜面３７はケーブル２２と同じ幅のみ形成され、ケーブル断面の長手方向のケーブルの両側の部分には形成しないようにする。傾斜面３７による窪みは凹部２６の底２７の面よりも深くてもよいし、同じか浅くてもよい。また、突出部の厚さはなるべく薄くする。実施例４においてはコネクターのハウジング２０とケーブル２２との接触長をより長くすることができる。
【００１９】
以上、実施例を開示したが本考案には以下のような変形例も考えられる。実施例においては、偏平なケーブルを使用する例を開示したが、例えば断面が円形のケーブルの場合には、ケーブル取り出し口のケーブルの周囲を囲むように傾斜面を設け、ケーブルの周囲にすり鉢状の凹部を形成してもよい。このようにすれば断面が円形のケーブルにおいても本考案を実施できる。但し、金型が複雑となり、かつ強度が低下するので高価となる。
【００２０】
実施例においてはコネクター装置本体２０のハウジングは、単一の材料により形成される例を開示したが、ケーブルとの接触部近傍だけに柔らかい材料のプラスティックを埋め込む構造としてもよい。但し、プラスティック成形工程を２度行う必要があるので手間が掛かる。
【産業上の利用可能性】
【００２１】
本考案は任意のケーブル付きコネクター装置として利用可能である。
【符号の説明】
【００２２】
２０…コネクター装置
２１…金属ケース
２２…ケーブル
２３…ケーブル巻き取り器
２５…傾斜面
２６…凹部
【図１】
0003168508.tif 000003
【図２】
0003168508.tif 000004
【図３】
0003168508.tif 000005
【図４】
0003168508.tif 000006
【図５】
0003168508.tif 000007